(57)【要約】【課題】施工を容易にし、また、施工コストを抑えた基礎を提供する。【解決手段】布基礎１０は、基礎部３０を備える。基礎部３０は、第１方向１１に沿って延びるベース部３１と、ベース部３１の上面３１Ａから上向きに突出しており、第１方向１１に沿って延びる中間部３２と、中間部３２の上面３２Ａから上向きに突出しており、第１方向１１に沿って延びる第１立上がり部３３と、中間部３２の上面３２Ａから上向きに突出しており、第１立上がり部３３と平行に第１方向１１に沿って延びる第２立上がり部３４とを備える。第１立上がり部３３の上面である第１上面３３Ａ及び第２立上がり部３４の上面である第２上面３４Ａからは、上向きにアンカーボルトが突出する。アンカーボルトは、柱脚金具や土台を固定する。柱脚金具や土台は柱を固定する。基礎部３０は、第１立上がり部３３及び第２立上がり部３４において、建物の躯体を支持する。【選択図】図２
2019015048.tif 000002
【特許請求の範囲】
【請求項１】
ベース部と、
上記ベース部の上面から上向きに突出する中間部と、
上記中間部の上面から上向きに突出する第１立上がり部と、
上記中間部の上面から上向きに突出しており、上記第１立上がり部と平行である第２立上がり部と、を備える布基礎。
【請求項２】
上記第１立上がり部は、建物の躯体を支持する第１上面を有し、
上記第２立上がり部は、建物の躯体を支持する第２上面を有する請求項１に記載の布基礎。
【請求項３】
上記第１立上がり部は、建物の躯体を支持する第１上面を有し、
上記第２立上がり部の第２上面は、上記第１上面と上記中間部の上面との間に位置する請求項１に記載の布基礎。
【請求項４】
上記中間部の第１側面と上記第１立上がり部の側面とは面一であり、
上記中間部の第２側面と上記第２立上がり部の側面とは面一である請求項１から３のいずれかに記載の布基礎。
【請求項５】
ベース部と、当該ベース部の上面から上向きに突出する中間部と、当該中間部の上面から上向きに突出する第１立上がり部と、上記中間部の上面から上向きに突出しており、上記第１立上がり部と平行である第２立上がり部と、を備える布基礎の施工方法であって、
上記ベース部を打設するための第１型枠を地面に設置し、上記中間部、上記第１立上がり部、及び上記第２立上がり部を打設するための一対の第２型枠と、当該一対の第２型枠に架設されるセパレータと、当該セパレータに支持される第３型枠と、を上記第１型枠の上方となる位置に設置する第１工程と、
上記第１型枠、上記第２型枠、及び上記第３型枠にコンクリートを流し込んで上記ベース部、上記中間部、上記第１立上がり部、及び上記第２立上がり部を一体に打設する第２工程と、
上記第３型枠を撤去する第３工程と、を備える布基礎施工方法。
【請求項６】
ベース部と、当該ベース部の上面から上向きに突出する中間部と、当該中間部の上面から上向きに突出する第１立上がり部と、上記中間部の上面から上向きに突出しており、上記第１立上がり部と平行である第２立上がり部と、を備える布基礎の施工方法であって、
上記ベース部を打設するための第１型枠を地面に設置する第４工程と、
上記第１型枠にコンクリートを流し込んで上記ベース部を打設する第５工程と、
上記中間部、上記第１立上がり部、及び上記第２立上がり部を打設するための一対の第２型枠と、当該一対の第２型枠に架設されるセパレータと、当該セパレータに支持される第３型枠と、を上記ベース部の上方に設置する第６工程と、
上記第２型枠、及び上記第３型枠にコンクリートを流し込んで上記中間部、上記第１立上がり部、及び上記第２立上がり部を一体に打設する第７工程と、
上記第３型枠を撤去する第４工程と、を備える布基礎施工方法。
【請求項７】
上記第１工程及び上記第６工程において、板状の複数の第１部材を厚み方向において対向させ、かつ上下２段に重ねて上記第３型枠を組み、長手方向における上記セパレータの両端部を上段と下段との間の繋ぎ目に配置する請求項５または６に記載の布基礎施工方法。
【請求項８】
上記第１工程及び上記第６工程において、板状の複数の第１部材を厚み方向に対向させ、かつ水平方向に沿って隣接して並べ、長手方向における上記セパレータの両端部を隣接する２つの上記第１部材の継ぎ目に配置する請求項５または６に記載の布基礎施工方法。
【請求項９】
底板部と、当該底板部から上方へ突出する立上がり部と、を備えるべた基礎の施工方法であって、
上記底板部が打設される地面に保持部材を配置する第８工程と、
上記立上がり部を打設するための一対の第４型枠のうちの一方を上記保持部材に保持させて設置し、当該一方の第４型枠に保持させてセパレータを設置する第９工程と、
一対の上記第４型枠のうちの他方を上記セパレータに保持させて設置する第１０工程と、
上記第４型枠及び地面にコンクリートを流し込んで上記底板部及び上記立上がり部を一体に打設する第１１工程と、
上記第４型枠を撤去する第１２工程と、を備えるべた基礎施工方法。
【請求項１０】
請求項５から８のいずれかに記載の布基礎施工方法に用いられる上記第３型枠であって、
外形が直方体状であって、上下方向に沿う貫通孔を有する枠状であり、かつ、上下方向に沿って延びる板状の複数の部材を相互に締結して構成されており、
上記部材は、コーナーを形成する第２部材と、２つの当該第２部材との間に配置される一乃至複数の第３部材とである型枠。
【発明の詳細な説明】
【技術分野】
【０００１】
本発明は、布基礎、布基礎施工方法、べた基礎施工方法、及び当該施工方法に用いられる型枠に関する。
【背景技術】
【０００２】
住宅などの建築物の基礎として、べた基礎及び布基礎が知られている。
【０００３】
べた基礎は、地面に設置された板状の底板部と、底板部から立ち上がる立上がり部とを備える（例えば、特許文献１参照）。立上がり部の上面において、建築物の躯体が支持される。
【０００４】
一方、布基礎は、地面に設置されるベース部と、ベース部から立ち上がる立上がり部とを備える（例えば、特許文献２参照）。立上がり部の上面において、建物の躯体が支持される。
【先行技術文献】
【特許文献】
【０００５】
【特許文献１】特開平７−２４７６８６号公報
【特許文献２】特開２０１１−３２８２１号公報
【発明の概要】
【発明が解決しようとする課題】
【０００６】
布基礎には、いわゆる深基礎と呼ばれる立上がり部の高さが高い布基礎がある。また、布基礎において、２つの立上がり部が平行に、かつ、近接して設けられることがある。そうすると、平行かつ近接する２つの立上がり部を打設するための二対の型枠のうち、内側となる型枠は、狭い空間内に設置する必要があり、型枠及び型枠を保持するための架台の設置作業、また、コンクリートの打設後の型枠の撤去作業が困難となっている。
【０００７】
また、内側となる型枠の撤去ができない場合、現行では、型枠を埋め殺しとし、使い捨てている。また、場合によっては、型枠を保持する架台の一部も埋め殺しとして使い捨てている。
【０００８】
上述のように、立上がり部の高さが高く、また、２つの立上がり部が平行に、かつ、近接して設けられた布基礎では、内側となる型枠や型枠を保持するための架台の設置が難しく、また、型枠や架台の一部が使い捨てであるという問題がある。
【０００９】
本発明は、前述された事情に鑑みてなされたものであり、その目的は、布基礎において、施工を容易にし、また、施工コストを抑えることができる手段を提供することにある。
【００１０】
また、本願発明者は、上述の手段を、底板部と立上がり部とが一体に打設されるべた基礎に応用することに思い至った。
【００１１】
本発明の他の目的は、べた基礎において、施工を容易にし、また、施工コストを抑えることができる手段を提供することにある。
【課題を解決するための手段】
【００１２】
(1)  本発明に係る布基礎は、ベース部と、上記ベース部の上面から上向きに突出する中間部と、上記中間部の上面から上向きに突出する第１立上がり部と、上記中間部の上面から上向きに突出しており、上記第１立上がり部と平行である第２立上がり部とを備える。
【００１３】
中間部が設けられるから、第１立上がり部及び第２立上がり部の上面の高さ位置を変えずに、第１立上がり部、及び第２立上がり部の上方方向の長さを中間部の高さの分だけ短くすることができる。上下方向における第１立上がり部及び第２立上がり部の長さを短くできるから、第１立上がり部及び第２立上がり部を１段の型枠で打設することができる。１段の型枠であれば、第１立上がり部と第２立上がり部との間に作業者が入らなくとも、型枠を第１立上がり部及び第２立上がり部から取り外すことができる。また、第１立上がり部及び第２立上がり部を１段の型枠で打設することができるから、型枠を保持する架台の設置が容易になる。また、従来では、第１立上がり部と第２立上がり部との間の空間の半分くらいまでは土などによって埋め戻されるが、中間部が形成されることにより、埋め戻す必要がなくなる。すなわち、埋戻しの作業工程が不要となる。したがって、中間部を設けない従来構成に比べ、施工が容易になり、また、施工コストを抑えることができる。
【００１４】
(2)  好ましくは、上記第１立上がり部は、建物の躯体を支持する第１上面を有し、上記第２立上がり部は、建物の躯体を支持する第２上面を有していてもよい。
【００１５】
第１立上がり部及び第２立上がり部の双方を用いて建物の躯体を支持することができる。すなわち、下駄箱や配管スペースなどを収容する狭い空間を建物内に形成することができる。
【００１６】
(3)  好ましくは、上記第１立上がり部は、建物の躯体を支持する第１上面を有し、上記第２立上がり部の第２上面は、上記第１上面と上記中間部の上面との間に位置していてもよい。
【００１７】
第１立上がり部は建物の躯体を支持する。第２立上がり部は布基礎の強度を高める。建物の躯体を支持しない第２立上がり部の第２上面を第１上面よりも低い位置とすることにより、立上がり部の打設後において、第１立上がり部と第２立上がり部との間に位置する型枠を取り外し易くなる。その結果、施工が容易になる。
【００１８】
(4)  好ましくは、上記中間部の第１側面と上記第１立上がり部の側面とは面一であり、上記中間部の第２側面と上記第２立上がり部の側面とは面一であってもよい。
【００１９】
中間部の第１側面と第１立上がり部の側面とが面一であり、中間部の第２側面と第２立上がり部の側面とが面一であるから、中間部を打設するための型枠の上に立上がり部を打設するための型枠を設置することができる。したがって、型枠の設置が容易になる。その結果、施工が容易になり、施工コストを抑えることができる。
【００２０】
(5)  本発明の布基礎施工方法は、ベース部と、当該ベース部の上面から上向きに突出する中間部と、当該中間部の上面から上向きに突出する第１立上がり部と、上記中間部の上面から上向きに突出しており、上記第１立上がり部と平行である第２立上がり部と、を備える布基礎の施工方法である。布基礎施工方法は、上記ベース部を打設するための第１型枠を地面に設置し、上記中間部、上記第１立上がり部、及び上記第２立上がり部を打設するための一対の第２型枠と、当該一対の第２型枠に架設されるセパレータと、当該セパレータに支持される第３型枠と、を上記第１型枠の上方となる位置に設置する第１工程と、上記第１型枠、上記第２型枠、及び上記第３型枠にコンクリートを流し込んで上記ベース部、上記中間部、上記第１立上がり部、及び上記第２立上がり部を一体に打設する第２工程と、上記第３型枠を撤去する第３工程と、を備える。
【００２１】
セパレータは、コンクリートの打設時において、一対の第２型枠間の距離を一定に保つ。このセパレータを利用して、第３型枠を保持する。したがって、第３型枠を保持するための架台が不要になる。その結果、施工が容易になり、また、施工コストを抑えることができる。
【００２２】
(6)  本発明の布基礎施工方法は、ベース部と、当該ベース部の上面から上向きに突出する中間部と、当該中間部の上面から上向きに突出する第１立上がり部と、上記中間部の上面から上向きに突出しており、上記第１立上がり部と平行である第２立上がり部と、を備える布基礎の施工方法である。布基礎施工方法は、上記ベース部を打設するための第１型枠を地面に設置する第４工程と、上記第１型枠にコンクリートを流し込んで上記ベース部を打設する第５工程と、上記中間部、上記第１立上がり部、及び上記第２立上がり部を打設するための一対の第２型枠と、当該一対の第２型枠に架設されるセパレータと、当該セパレータに支持される第３型枠と、を上記ベース部の上方に設置する第６工程と、上記第２型枠、及び上記第３型枠にコンクリートを流し込んで上記中間部、上記第１立上がり部、及び上記第２立上がり部を一体に打設する第７工程と、上記第３型枠を撤去する第４工程とを備える
【００２３】
打設したベース部の上に第２型枠を設置できるから、型枠や架台の設置が容易になり、また、使用する架台の数を減らすことができる。その結果、施工が容易になり、また、施工コストを抑えることができる。
【００２４】
(7)  好ましくは、上記第１工程及び上記第６工程において、板状の複数の第１部材を厚み方向において対向させ、かつ上下２段に重ねて上記第３型枠を組み、長手方向における上記セパレータの両端部を上段と下段との間の繋ぎ目に配置してもよい。
【００２５】
長手方向におけるセパレータの両端部を上段と下段との間の繋ぎ目（横目地）に配置するから、セパレータの設置が容易であり、また、セパレータの両端部が確実に支持される。
【００２６】
(8)  好ましくは、上記第１工程及び上記第６工程において、板状の複数の第１部材を厚み方向に対向させ、かつ水平方向に沿って隣接して並べ、長手方向における上記セパレータの両端部を隣接する２つの上記第１部材の継ぎ目に配置してもよい。
【００２７】
セパレータの両端部を水平方向において隣接する２つの第１部材の継ぎ目（縦目地）に配置するから、セパレータの高さ位置を自由に変更できる。すなわち、上下方向における第１立上がり部及び第２立上り部の長さを自由に変更できる。また、鉄筋などを避けてセパレータを配置することができる。
【００２８】
(9)  本発明のべた基礎施工方法は、底板部と、当該底板部から上方へ突出する立上がり部と、を備えるべた基礎の施工方法である。べた基礎施工方法は、上記底板部が打設される地面に保持部材を配置する第８工程と、上記立上がり部を打設するための一対の第４型枠のうちの一方を上記保持部材に保持させて設置し、当該一方の第４型枠に保持させてセパレータを設置する第９工程と、一対の上記第４型枠のうちの他方を上記セパレータに保持させて設置する第１０工程と、上記第４型枠及び地面にコンクリートを流し込んで上記底板部及び上記立上がり部を一体に打設する第１１工程と、上記第４型枠を撤去する第１２工程とを備える。
【００２９】
一対の第４型枠の一方が保持するセパレータに他方の第４型枠を保持させるから、第４型枠を保持する架台の数量が少なくなり、また、架台の設置が容易になる。その結果、施工が容易になり、また、施工コストを抑えることができる。
【００３０】
(10)  本発明の型枠は、上述の第３型枠である。型枠は、外形が直方体状であって、上下方向に沿う貫通孔を有する枠状である。型枠は、上下方向に沿って延びる板状の複数の部材を相互に締結して構成されている。上記部材は、コーナーを形成する第２部材と、２つの当該第２部材との間に配置される一乃至複数の第３部材とである。
【００３１】
コンクリートの打設後、作業者は、まず、金槌などを用いて第３部材を叩いて布基礎から取り外す。第３部材が取り外されることにより生じる隙間により、コーナーを形成する第２部材を容易に取り外すことができる。すなわち、施工が容易になる。
【発明の効果】
【００３２】
本発明によれば、布基礎及びべた基礎の施工を容易にし、また、施工コストを抑制することができる。
【図面の簡単な説明】
【００３３】
【図１】図１は、第１実施形態に係る布基礎１０の斜視図である。
【図２】図２は、第１実施形態に係る基礎部３０の断面斜視図である。
【図３】図３は、図１におけるＩＩＩ−ＩＩＩ断面図である。
【図４】図４は、第１実施形態に係る布基礎施工方法４０の工程図である。
【図５】図５は、第１実施形態に係る布基礎施工方法４０の説明図である。
【図６】図６は、第１実施形態に係る布基礎施工方法４０の説明図である。
【図７】図７は、第１実施形態に係る布基礎施工方法４０の説明図である。
【図８】図８は、第１実施形態に係る布基礎施工方法４０の説明図である。
【図９】図９は、第１実施形態に係る浮き型枠７６の平面図である。
【図１０】図１０は、変形例１に係る布基礎施工方法９０の工程図である。
【図１１】図１１は、変形例１に係る布基礎施工方法９０の説明図である。
【図１２】図１２は、変形例１に係る布基礎施工方法９０の説明図である。
【図１３】図１３は、変形例１に係る布基礎施工方法９０の説明図である。
【図１４】図１４は、変形例２に係る布基礎施工方法９１の工程図である。
【図１５】図１５は、変形例２に係る布基礎施工方法９１の説明図である。
【図１６】図１６は、変形例２に係る布基礎施工方法９１の説明図である。
【図１７】図１７は、変形例３に係る布基礎の基礎部３０の断面斜視図である。
【図１８】図１８は、第２実施形態に係るべた基礎施工方法９２の工程図である。
【図１９】図１９は、第２実施形態に係るべた基礎１００の斜視図である。
【図２０】図２０は、図１９におけるＸＸ−ＸＸ断面図である。
【図２１】図２１は、第２実施形態に係るべた基礎施工方法９２の説明図である。
【図２２】図２２は、変形例４に係る第４型枠７４及び第５型枠７５の説明図である。
【発明を実施するための形態】
【００３４】
以下、本発明の実施形態について説明する。なお、以下に説明される実施形態及び変形例は本発明の一例にすぎず、本発明の要旨を変更しない範囲で、本発明の実施形態及び変形例を適宜変更できることは言うまでもない。
【００３５】
第１実施形態では、図１に示される布基礎１０、及び布基礎１０の施工方法である布基礎施工方法４０（図４）が説明される。布基礎１０は、住宅などの建物の基礎として用いられる。
【００３６】
[布基礎１０]
布基礎１０は、図１に示されるように、直線状の複数の基礎部２０及び基礎部３０を備える。布基礎１０は、施工される建物に合わせて基礎部２０及び基礎部３０を組み合わせて構成される。
【００３７】
基礎部２０は、例えば、通常の布基礎と同様の構成を有しており、地面に設置されるベース部２１と、ベース部２１の上面から上向きに突出する立上がり部２２とを有する。
【００３８】
ベース部２１は、上下方向１３を厚み方向とする板状であって、地面に設けた溝１５（図２）に設置されている。具体的には、ベース部２１は、溝１５の底に敷設された砂利１６の上に設置されている。ベース部２１は、一方向に沿って直線状に設けられている。
【００３９】
立上がり部２２は、ベース部２１の上面から上向きに突出しており、ベース部２１が延びる方向に沿って直線状に設けられている。また、立上がり部２２は、水平方向に沿って延びる一定幅の上面２２Ａを有する。上面２２Ａからは、不図示のアンカーボルトが上向きに突出する。アンカーボルトは、柱脚金具や土台を固定する。柱脚金具や土台は柱を固定する。すなわち、基礎部２０は、上面２２Ａにおいて、不図示の建物の躯体を支持する。
【００４０】
ベース部２１及び立上がり部２２内には、不図示の鉄筋が配されている。鉄筋は、布基礎部２０の強度を高める。
【００４１】
基礎部３０は、一方向に沿って直線状に延びて設けられている。基礎部３０が延びる一方向を第１方向１１とし、第１方向１１及び上下方向１３に直交する幅方向を第２方向１２として以下説明がされる。
【００４２】
第１方向１１におけるベース部３１の両端は、基礎部２０や、他の基礎部３０と一体に繋がっている。図示例では、基礎部２０と繋がっている。
【００４３】
基礎部３０は、図２及び図３に示されるように、地面に設置されるベース部３１と、中間部３２と、第１立上がり部３３と、第２立上がり部３４とを有する。すなわち、基礎部３０は、基礎部２０と相違し、中間部３２と、２つの立上がり部３３、３４とを有している。
【００４４】
ベース部３１は、基礎部２０のベース部２１と同構成である。具体的には、ベース部３１は、上下方向１３を厚み方向とし、第１方向１１に沿って直線状に延びる一定幅の板状である。
【００４５】
中間部３２は、ベース部３１の上面３１Ａから上向きに突出しており、ベース部３１と一体に繋がっている。なお、「一体に繋がっている」とは、ベース部３１と中間部３２との間に、コールドジョイントが生じている場合も含む意味である。
【００４６】
中間部３２は、第２方向１２における長さ（幅）がベース部３１の幅よりも狭く、かつ、第２方向１２おけるベース部３１の上面の中央から上向きに突出している。すなわち、第２方向１２におけるベース部３１の両端部は、中間部３２からはみ出している。したがって、中間部３２は、ベース部３１によって安定して支持される。
【００４７】
中間部３２は、ベース部３１と同様に第１方向１１に沿って延びている。但し、配管やケーブルを通す孔が中間部３２に設けられていてもよい。
【００４８】
中間部３２は、一定幅の上面３２Ａを有する。上面３２Ａから上向きに第１立上がり部３３及び第２立上がり部３４が上向きに突出する。すなわち、第１立上がり部３３及び第２立上がり部３４は、中間部３２と一体に繋がっている。
【００４９】
第１立上がり部３３と第２立上がり部３４とは、第１方向１１に沿って平行に設けられている。平行に設けられた第１立上がり部３３と第２立上がり部３４とは、基礎部２０（図１）とともに、いわゆる「矩形」を形成し、布基礎１０の強度を高める。第２方向１２における第１立上がり部３３の長さ（幅）、及び第２立上がり部の長さ（幅）は、例えば、１５ｃｍ〜２５ｃｍであり、第１立上がり部３３と第２立上がり部３４との間の距離（隙間）は、例えば２５ｃｍ〜３５ｃｍである。なお、第１立上がり部３３及び第２立上がり部３４は、配管やケーブルを通す孔や切欠きを有していてもよい。
【００５０】
第１立上がり部３３は、第２方向１２における上面３２Ａの一方の端部から上向きに突出している。すなわち、第１立上がり部３３の一方の側面３３Ｂは、中間部３２の一方の側面である第１側面３２Ｂと面一である。「面一」とは、側面３３Ｂと第１側面３２Ｂとが同一平面上にあり、かつ、段差なく連続していることを意味する。面一とされることにより、基礎部３０の施工が容易になる。具体的には、面一であるから、中間部３２を打設するための型枠の上に第１立上がり部３３を打設するための型枠を載置することができ、その結果、施工が容易になる。詳しくは後述される。
【００５１】
第２立上がり部３４は、第２方向１２における上面３２Ａの他方の端部から上向きに突出している。すなわち、第２立上がり部３４の一方の側面３４Ｂは、中間部３２の他方の側面である第２側面３２Ｃと面一である。面一」とは、側面３４Ｂと第２側面３２Ｃとが同一平面上にあり、かつ、段差なく連続していることを意味する。側面３４Ｂと第２側面３２Ｃとが面一とされ、側面３３Ｂと第１側面３２Ｂとが面一とされることにより、基礎部３０の施工が容易になる。具体的には、面一であるから、中間部３２を打設するための型枠の上に第２立上がり部３４を打設するための型枠を載置することができ、その結果、施工が容易になる。詳しくは後述される。
【００５２】
ベース部３１、中間部３２、第１立上がり部３３、及び第２立上がり部３４内には、不図示の鉄筋が配されている。鉄筋は、基礎部３０の強度を高める。
【００５３】
第１立上がり部３３の上面である第１上面３３Ａと、第２立上がり部３４の上面である第２上面３４Ａの高さ位置とは同一であり、かつ、布基礎部２０の立上がり部２２の上面２２Ａの高さ位置と同一である。
【００５４】
布基礎１０は、第１上面３３Ａ、第２上面３４Ａ、及び上面２２Ａの高さ位置が高い、いわゆる深基礎である。第１上面３３Ａ、第２上面３４Ａ、及び上面２２Ａは、例えば、地面から４０ｃｍ〜２６０ｃｍの位置にある。上下方向１３における第１立上がり部３３の長さ及び第２立上がり部３４の長さは、例えば、５５ｃｍ〜２４０ｃｍである。上下方向１３における中間部３２の長さは、例えば、３０ｃｍ〜２１０ｃｍである。
【００５５】
第１上面３３Ａからは、上述の基礎部２０の立上がり部２２と同様に、不図示のアンカーボルトが上向きに突出する。同様に、第２上面３４Ａからは、不図示のアンカーボルトが上向きに突出する。基礎部３０は、第１立上がり部３３の第１上面３３Ａ及び第２立上がり部３４の第２上面３４Ａにおいて、建物の躯体を支持する。具体的には、基礎部３０は、下駄箱や配管スペースなどが収容される比較的狭い空間を形成する柱などを柱脚金具や土台を介して支持する。
【００５６】
[布基礎施工方法４０]
以下、上述の布基礎１０の基礎部３０の施工方法である布基礎施工方法４０が説明される。なお、基礎部２０の施工方法は、従来と同様にして行うことができる。
【００５７】
図４に示されるように、布基礎施工方法４０は、第１工程４１〜第８工程４８を備える。第１工程４１〜第６工程４６は、本発明の第１工程に相当する。第７工程４７は、本発明の第２工程に相当する。第８工程４８は、本発明の第３工程に相当する。
【００５８】
第１工程４１は、ベース部３１を形成するための第１型枠７１を地面に設置する工程である。
【００５９】
第１型枠７１は、図５に示されるように、板状の複数の第１部材８１と、板状の複数の第２部材８２とを備える。第１部材８１は長尺の矩形状である。第２部材８２は、第１部材８１と同形状である。第１部材８１及び第２部材８２は、例えば木材や樹脂や鉄である。
【００６０】
作業者は、第１工程４１において、地面１４に形成された溝１５の壁面に沿わせて複数の第１部材８１及び複数の第２部材８２を設置する。その際、作業者は、第１部材８１と第２部材８２とを厚み方向において互いに対向させて設置する。また、作業者は、長手方向における端部同士を突き合わせて複数の第１部材８１同士、及び複数の第２部材８２同士を隣接させて設置する。なお、第１工程４１は、後述の第６工程４６の後に行われてもよい。
【００６１】
第２工程４２は、布基礎１０となる空間に鉄筋を設置する工程である。鉄筋は、横筋や縦筋やあばら筋や添え筋や補助筋などである。作業者は、第２工程４２において、これらの鉄筋を溶接、番線、連結具などによって連結し、設置する。
【００６２】
第３工程４３は、後述の第２型枠７２及び第３型枠７３を保持する不図示の保持部材や架台を設置する工程である。作業者は、第３工程４３において、砂利１６の上に保持部材を設置し、溝１５の周囲に架台を設置する。保持部材は、例えば、金属金具である。
【００６３】
第４工程４４は、保持部材や架台に保持させて一対の第２型枠７２を設置する工程である。
【００６４】
図６に示されるように、一対の第２型枠７２は、板状の複数の第３部材８３をそれぞれ備える。複数の第３部材８３は、全て同一形状であってもよいし、第１方向１１における長さが相違していてもよいが、上下方向１３における長さである高さについては、全て同一である。すなわち、第２型枠７２は、一定の高さを有する。第３部材８３は、本発明の第１部材に相当する。
【００６５】
作業者は、第４工程において、第１方向１１に沿って互いに隣接させて第３部材８３を並べ、架台を用いて固定し、また、隣合う第３部材８３同士を締結部材を用いて相互に固定する。作業者は、複数の第３部材８３を設置することにより、一対の第２型枠７２のうちの一方の第２型枠７２を組み上げる。
【００６６】
次に作業者は、先に設置した第３部材８３と厚み方向において対向させて複数の第３部材８３を配置する。また、作業者は、第１方向１１に沿って互いに隣接させて第３部材８３を配置する。作業者は、配置した第３部材８３を架台を用いて固定し、さらに、隣合う第３部材８３同士を締結部材を用いて相互に固定する。作業者は、複数の第３部材８３を設置することにより、一対の第２型枠７２のうちの他方の第２型枠７２を組み上げる。
【００６７】
第５工程４５は、一対の第２型枠７２の上に複数のセパレータ７７を架設する工程である。
【００６８】
図７に示されるように、セパレータ７７は、第１方向１１を短手方向とし、第２方向１２を長手方向とし、上下方向１３を厚み方向とする板状である。セパレータ７７は、ピンなどを挿通する止め孔を長手方向の両端部に有する。セパレータ７７は、ピンなどを用いて一対の第２型枠７２に両端部をそれぞれ固定される。例えば、セパレータ７７は、例えば、一の第３部材８３に対して１〜３個取り付けられる。
【００６９】
セパレータ７７は、一対の第２型枠７２及び後述の一対の第３型枠７３のそれぞれに内側から当接する不図示の当接部を備える。「内側」とは、セパレータ７７が配置される側である。セパレータ７７は、コンクリートを打設する後述の第７工程４７において、一対の第２型枠７２の間の距離及び一対の第３型枠７３の間の距離を一定に保つ。
【００７０】
また、セパレータ７７は、後述の浮き型枠７６を保持する機能をさらに有する。具体的に説明すると、セパレータ７７は、後述の浮き型枠７６を安定して保持でき、かつ第１立上がり部３３及び第２立上がり部３４の強度を低下させない程度に設定された幅を有している。例えば、セパレータ７７の幅は、数ｃｍから十数ｃｍに設定される。
【００７１】
セパレータ７７の材質及び厚みは、浮き型枠７６によってセパレータ７７が変形しない材質及び厚みに設定されている。セパレータ７７は、例えば、ステンレスや鋼材などの金属製である。セパレータ７７の厚みは、例えば、数ｍｍである。
【００７２】
セパレータ７７は、浮き型枠７６の位置決めや固定を行う不図示の取付部を長手方向における中央部に備える。取付部は、例えば、水平方向において浮き型枠７６に当接して位置決めを行う突出片や、ボルトなどの締結部材が挿通される挿通孔などである。
【００７３】
作業者は、第５工程４５において、上述の当接部を一対の第２型枠７２にそれぞれ当接させて一対の第２型枠７２の上にセパレータ７７を架設する。次に、作業者は、ピンなどの締結部材を用いて長手方向におけるセパレータ７７の両端部を一対の第２型枠７２にそれぞれ固定する。なお、セパレータ７７の両端部の固定は、後述の第３型枠７３が設置された後でもよい。
【００７４】
第６工程４６は、一対の第３型枠７３及び浮き型枠７６を設置する工程である。第３型枠７３と浮き型枠７６とは、いずれが先に設置されてもよい。例えば、一対の第３型枠７３の一方が設置された後、浮き型枠７６が設置され、最後に第３型枠７３の他方が設置される。上述の第２型枠７２及び第３型枠７３は、本発明の第２型枠に相当する。浮き型枠は、本発明の第３型枠に相当する。
【００７５】
図８に示されるように、一対の第３型枠７３は、板状の複数の第４部材８４をそれぞれ備える。複数の第４部材８４は、全て同一形状であってもよいし、第１方向１１における長さが相違していてもよいが、上下方向１３における長さである高さについては、全て同一である。すなわち、第３型枠７３は、一定の高さを有する。第４部材８４は、例えば、部品の共通化のため、第３部材８３と同一の部材とされる。
【００７６】
浮き型枠７６は、図８及び図９に示されるように、外形が直方体状であり、かつ、上下方向１３において貫通する貫通孔を有する枠状である。浮き型枠７６は、複数の部材を締結部材を用いて締結して組まれる。具体的には、浮き型枠７６は、板状の複数の第５部材８５と、複数のコーナー部材８６と、複数の接続部材８７とを備える。第５部材８５と、コーナー部材８６と、接続部材８７とは、上下方向１３における長さである高さについては、全て同一である。すなわち、浮き型枠７６は、一定の高さを有する。
【００７７】
第５部材８５は、平板状である。第５部材８５は、例えば、部品の共通化のため、第３部材８３と同一の部材とされる。コーナー部材８６は、２つの平板の端部同士を直角に突き合わせて平面視「Ｌ」となる形状を有している。接続部材８７は、第５部材８５よりも幅の狭い板状である。コーナー部材８６は、本発明の第２部材に相当する。第５部材８５及び接続部材８７は、本発明の第３部材に相当する。
【００７８】
作業者は、第５部材８５とコーナー部材８６と、接続部材８７とを締結部材を用いて締結して浮き型枠７６を組み上げる。作業者は、施工現場において浮き型枠７６を組み上げ、或いは、他の場所で組み上げた浮き型枠７６を施工現場に搬入する。
【００７９】
作業者は、第６工程４６において、第１方向１１に沿って互いに隣接させて第３部材８３を並べ、架台を用いて固定し、一方の第３型枠７３を設置する。次に作業者は、セパレータ７７の取付部の上に浮き型枠７６を載置し、締結部材を用いてセパレータ７７に固定する。最後に、作業者は、第１方向１１に沿って互いに隣接させ、かつ、上述の一方の第３型枠７３に対向させて第３部材８３を並べ、他方の第３型枠７３を設置する。
【００８０】
また、作業者は、第６工程４６において一対の第３型枠７３を設置した後、第２型枠７２の上端から不図示のアンカーボルトを吊るしてアンカーボルトを設置する。
【００８１】
第７工程４７は、型枠７１、７２、７３、７６にコンクリートを流し込んで、基礎部３０を打設する工程である。作業者は、まず、第１型枠７１にコンクリートを流し込む。その際、ベース部３１の上面３１Ａとなる部分については、小手押えによって整形する。次に、作業者は、第１型枠７１に流し込んだコンクリートが固化する前に、第２型枠７２にコンクリートを流し込み、中間部３２を打設する。次に、作業者は、第３型枠７３及び浮き型枠７６にコンクリートを流し込み、第１立上がり部３３及び第２立上がり部３４を打設する。その際、作業者は、第１立上がり部３３の第１上面３３Ａとなる部分、及び第２立上がり部３４の第２上面３４Ａとなる部分を、小手押えによって整形する。
【００８２】
上述のようにして、作業者は、ベース部３１、中間部３２、第１立上がり部３３、及び第２立上がり部３４を一体に打設する。なお、作業者は、基礎部３０とともに基礎部２０も一体に打設する。すなわち、作業者は、布基礎１０を一体に打設する。
【００８３】
作業者は、布基礎１０を打設した後などに、基礎部３０から突出するセパレータ７７の両端部を、例えば、折り切りによって取り外す。
【００８４】
第８工程４８は、第２型枠７２、第３型枠７３、及び浮き型枠７６を布基礎１０から撤去する工程である。作業者は、コンクリートが固化した後、第２型枠７２、第３型枠７３、及び浮き型枠７６を布基礎１０から取り外す。
【００８５】
浮き型枠７６の撤去について詳しく説明がされる。浮き型枠７６は、コンクリートを打設すると、第１立上がり部３３と第２立上がり部３４との間に挟まれることになる。作業者は、まず、４つのコーナー部材８６の間に位置する第５部材８５及び接続部材８７を金槌などで叩いて第５部材８５及び接続部材８７を布基礎１０から取り外す。第５部材８５及び接続部材８７が取り外されることにより、隙間が生じる。作業者は、この隙間を利用して、コーナー部材８６を布基礎１０から取り外す。取り外された浮き型枠７６や第２型枠７２や第３型枠７３は、他の施工現場において再利用される。
【００８６】
[第１実施形態の効果]
第１実施形態では、第１立上がり部３３及び第２立上がり部３４は、中間部３２の上面３２Ａから上向きに突出している。したがって、第１立上がり部３３の第１上面３３Ａ及び第２立上がり部３４の第２上面３４Ａの高さ位置を変えることなく、上下方向１３における中間部３２の長さの分だけ、上下方向１３における第１立上がり部３３及び第２立上がり部３４の長さを短くすることができる。
【００８７】
上下方向における第１立上がり部３３及び第２立上がり部３４の長さを短くできるから、第１立上がり部３３及び第２立上がり部３４を１段の型枠（浮き型枠７６）で打設することができる。１段の型枠であれば、第１立上がり部３３と第２立上がり部３４との間に作業者が入らなくとも、第１立上がり部３３及び第２立上がり部３４から型枠取り外すことができる。したがって、中間部を設けない従来構成に比べ、布基礎１０の施工コストを抑えることができる。
【００８８】
また、第１実施形態では、中間部３２が形成されるから、第１立上がり部３３と第２立上がり部３４との間の空間を土などで埋め戻す必要がなくなる。すなわち、埋戻しの作業工程が不要となる。したがって、中間部を設けない従来構成に比べ、布基礎１０の施工が容易になり、また、施工コストを抑えることができる。
【００８９】
また、第１立上がり部３３と第２立上がり部３４とは、基礎部２０とともに矩形を形成し、布基礎１０の強度を高める。
【００９０】
また、第１立上がり部３３と第２立上がり部３４とは、共に中間部３２に設けられており、共に建物の躯体を支持する。したがって、基礎部３０により、下駄箱などを収容する狭い空間を建物に形成することができる。
【００９１】
また、中間部３２の第１側面３２Ｂと第１立上がり部３３の側面３３Ｂとが面一であり、中間部３２の第２側面３２Ｃと第２立上がり部３４の側面３４Ｂとが面一であるから、第２型枠７２の上に第３型枠７３を設置することができる。したがって、型枠の設置や架台の設置が容易になる。その結果、布基礎１０の施工が容易になり、施工コストを抑えることができる。
【００９２】
また、一対の第２型枠７２間の距離及び一対の第３型枠７３間の距離を一定に保つセパレータ７７を用いて浮き型枠７６を設置するから、架台の数が減り、また、架台の設置や浮き型枠７６の設置が容易になる。その結果、布基礎１０の施工が容易になり、施工コストを抑えることができる。
【００９３】
また、セパレータ７７の両端部は、第２型枠７２と第３型枠７３との間に配置されるから、セパレータ７７の両端部を確実に支持することができる。すなわち、浮き型枠７６を確実に支持することができる。
【００９４】
また、セパレータ７７の両端部は、第２型枠７２と第３型枠７３との間に配置されるから、上下方向１３における第１立上がり部３３の長さ及び第２立上がり部３４の長さは、第１立上がり部３３の第１上面３３Ａ及び第２立上がり部３４の第２上面３４Ａの高さ位置に拘わらず、一定とすることができる
【００９５】
また、浮き型枠７６は、コーナーを形成するコーナー部材８６と、２つのコーナー部材８６の間に配置される第５部材８５及び接続部材８７とを備えるから、コンクリートの打設後において、浮き型枠７６を布基礎１０から容易に取り外すことができる。
【００９６】
[変形例１]
上述の第１実施形態では、ベース部３１、中間部３２、第１立上がり部３３、及び第２立上がり部３４を一体に打設する布基礎施工方法４０が説明された。本変形例１では、ベース部３１を打設した後、中間部３２、第１立上がり部３３、及び第２立上がり部３４を打設する布基礎施工方法９０が説明される。なお、上述の第１実施形態と同一の構成には同一の符号が付され、説明が省略される。
【００９７】
図１０に示されるように、布基礎施工方法９０は、第１工程４１、第２工程４２、第９工程４９〜第１１工程５１、第５工程４５、第６工程４６、第１２工程５２、及び第８工程４８を備える。第１工程４１は、本発明の第４工程に相当する。第９工程４９は、本発明の第５工程に相当する。第１１工程５１、第５工程４５、及び第６工程４６は、本発明の第６工程に相当する。第１２工程５２は、本発明の第７工程に相当する。
【００９８】
第１工程４１及び第２工程４２は、第１実施形態で説明された第１工程４１及び第２工程４２と同じである。
【００９９】
第９工程４９は、第１型枠７１にコンクリートを流し込んでベース部３１（図１１）を打設する工程である。作業者は、第１型枠７１にコンクリートを流し込み、ベース部３１を打設する。その際、作業者は、ベース部３１の上面３１Ａとなる部分を小手押えにより整形する。なお、作業者は、ベース部３１とともに基礎部２０のベース部２１も一体に打設する。
【０１００】
第１０工程５０は、架台を設置する工程である。本変形例１では、後述されるように、ベース部３１に第２型枠７２を載置することができるから、上述の第１実施形態よりも設置する架台の数量は少なくてすむ。作業者は、第１０工程５０において、打設したベース部３１の周囲に架台を設置する。
【０１０１】
第１１工程５１は、図１２に示されるように、ベース部３１の上に第２型枠７２を設置する工程である。作業者は、第１１工程５１において、ベース部３１の上に第２型枠７２を載置し、架台を用いて第２型枠７２を固定する。
【０１０２】
第５工程４５及び第６工程４６は、上述の第１実施形態で説明された第５工程４５及び第６工程４６と同じである。第６工程４６が行われた後、上述の第１実施形態と同様に、アンカーボルトが設置される。
【０１０３】
第１２工程５２は、図１３に示されるように、第２型枠７２、第３型枠７３、及び浮き型枠７６にコンクリートを流し込み、中間部３２、第１立上がり部３３、及び第２立上がり部３４を一体に打設する工程である。作業者は、まず、第２型枠７２にコンクリートを流し込み、中間部３２を打設する。作業者は、コンクリートが固化する前に、第３型枠７３及び浮き型枠７６にコンクリートを流し込み、中間部３２、第１立上がり部３３、及び第２立上がり部３４を一体に打設する。なお、作業者は、中間部３２、第１立上がり部３３、及び第２立上がり部３４とともに、基礎部２０の立上がり部２２も打設する。
【０１０４】
第８工程４８は、上述の第１実施形態で説明された第８工程４８と同じである。
【０１０５】
[変形例１の効果]
本変形例１では、ベース部３１を打設した後、打設したベース部３１に第２型枠７２を設置することができるから、架台の数量を少なくでき、また、架台や第２型枠７２や第３型枠７３の設置が容易になる。その結果、布基礎１０の施工が容易になり、また、施工コストを抑えることができる。
【０１０６】
[変形例２]
上述の実施形態及び変形例１では、セパレータ７７の両端部が第２型枠７２と第３型枠７３との間（横目地）に配置される例が説明された。本変形例２では、図１５に示されるように、セパレータ７８の両端部が隣接する２つの第３部材８３の間（縦目地）、及び隣接する２つの第４部材８４の間（縦目地）に配置される例が説明される。
【０１０７】
本変形例２では、図１４に示される布基礎施工方法９１が説明される。布基礎施工方法９１は、第１実施形態で説明された布基礎施工方法４０における第４工程４４及び第５工程４５に代えて、第１３工程５３を備える点において、上述の第１実施形態と相違する。
【０１０８】
第１３工程５３は、第２型枠７２及びセパレータ７８を設置する工程である。
【０１０９】
セパレータ７８は、第２方向１２を長手方向とする長尺の部材である。セパレータ７８は、第１方向１１を厚み方向とする板状の端部７８Ｂ、７８Ｃと、上下方向１３を厚み方向とする板状の中央部７８Ａとを備える。端部７８Ｂ、７８Ｃは、セパレータ７７と同様に、ピンなどが挿入される止め孔をそれぞれ備える。また、端部７８Ｂ、７８Ｃは、セパレータ７７と同様に、一対の第２型枠７２に内側からそれぞれ当接する不図示の当接部を備える。中央部７８Ａは、セパレータ７７と同様に、浮き型枠７６を取り付けるための不図示の取付部を備える。取付部は、水平方向において浮き型枠７６の位置決めを行う突出片や、ボルトなどが挿通される挿通孔などを有する。
【０１１０】
作業者は、第１３工程５３において、第２型枠７２を構成する第３部材８３及び第４部材８４を第１方向１１に沿って隣接して配置していく際に、セパレータ７８の端部７８Ｂ、７８Ｃを間に挟み（図１５）、ピンなどの締結部材を用いて端部７８Ｂ、７８Ｃを第３部材８３及び第４部材８４に固定する。
【０１１１】
次に、作業者は、上述の第１実施形態と同様に、第６工程４６を実行し（図１６）、第３型枠７３及び浮き型枠７６を設置する。次に、作業者は、上述の第１実施形態と同様に、第７工程４７を実行して布基礎１０を打設し、第８工程４８を実行して型枠７２、７３、７６を撤去する。
【０１１２】
[変形例２の効果]
本変形例２では、セパレータ７８の両端部７８Ｂ、７８Ｃを縦目地に配置するから、セパレータ７８の高さ位置を自由に変更することができる。セパレータ７８の高さ位置を変更できるから、上下方向１３における第１立上がり部３３及び第２立上がり部３４の長さを自由に変更でき、また、鉄筋を回避してセパレータ７８を配置することができる。
【０１１３】
なお、上述の変形例２では、第２型枠７２にセパレータ７８を取り付けた例が説明されたが、セパレータ７８は、第３型枠７３に取り付けられてもよい。セパレータ７８の両端部７８Ｂ、７８Ｃは、隣接する２つの第３部材８３の間、及び隣接する第４部材８４の間に配置される。
【０１１４】
[変形例３]
上述の第１実施形態では、第１立上がり部３３の第１上面３３Ａと第２立上がり部３４の第２上面３４Ａとが同じ高さ位置にあり、第１上面３３Ａ及び第２上面３４Ａにおいて建物の躯体を支持する例が説明された。
【０１１５】
本変形例３では、図１７に示されるように、第２立上がり部３４の第２上面３４Ａは、中間部３２の上面３２Ａと第１立上がり部３３の第１上面３３Ａとの間となる高さ位置にある。その他の構成は、上述の第１実施形態と同じである。
【０１１６】
本変形例３で説明された基礎部３０は、例えば、第１立上がり部３３及び第２立上がり部３４の両方の立上がり部において建物の躯体を支持する必要がない場合に用いられる。
【０１１７】
[変形例３の効果]
第２上面３４Ａが第１上面３３Ａよりも低くされているから、施工時において、打設した基礎部３０から浮き型枠７６をさらに取り外し易くなる。
【０１１８】
[その他の変形例]
上述の第１実施形態では、一対の第２型枠７２の上にセパレータ７７を架設する例が説明された。しかしながら、一対の第２型枠７２の第３部材８３に第２方向１２において互いに対向する一対の貫通孔を設け、当該一対の貫通孔にセパレータ７７の両端部の一方をそれぞれ挿通してもよい。
【０１１９】
上述の第１実施形態や変形例では、第２型枠７２及び第３型枠７３の上下２段の型枠を用いて布基礎１０が施工される例が説明された。しかしながら、型枠は、上下３段以上であってもよい。セパレータ７７の両端部は、最上段の型枠と、その下の型枠との間に配置される。セパレータ７８の両端部は、最上段の型枠またはその下の型枠を構成する部材間の縦目地に配置される。すなわち、布基礎１０の高さが高くされた分だけ、上下方向１３における中間部３２の長さが長くされ、上下方向１３における第１立上がり部３３及び第２立上がり部３４の長さは変更されない。したがって、布基礎１０の高さが高くなったとしても、型枠が埋め殺しとなることがない。その結果、施工が容易になり、また、施工コストが抑えられる。
【０１２０】
[第２実施形態]
第２実施形態では、べた基礎１００が説明される。図１９に示されるべた基礎１００は、住宅などの建物の基礎として使用される。
【０１２１】
べた基礎１００は、図２０に示されるように、地面１４に設置される底板部１０１と、底板部１０１の上面から上向きに突出する立上がり部１０２とを備える。立上がり部１０２は、一定幅の上面１０２Ａを備える。上面１０２Ａからは、不図示のアンカーボルトが上向きに突出する。アンカーボルトは、柱脚金具や土台を支持する。柱脚金具及び土台は、柱を支持する。すなわち、立上がり部１０２は、上面１０２Ａにおいて、建物の躯体を支持する。
【０１２２】
[べた基礎施工方法９２]
以下では、べた基礎１００の施工方法であるべた基礎施工方法９２が説明される。本実施形態２で説明されるべた基礎施工方法９２は、底板部１０１と立上がり部１０２とを一体に打設する一体打ちである。以下、詳しく説明がされる。
【０１２３】
図１８に示されるように、べた基礎施工方法９２は、第１４工程５４〜第２０工程６０を備える。第１５工程５５は、本発明の第８工程に相当する。第１６工程５６及び第１７工程５７は、本発明の第９工程に相当する。第１８工程５８は、本発明の第１０工程に相当する。第１９工程５９は、本発明の第１１工程に相当する。第２０工程６０は、本発明の第１２工程に相当する。
【０１２４】
第１４工程５４は、地面に設けた根切りである凹部１７に山留板６３を設置する工程である。山留板６３は、水平方向を厚み方向とする長尺の板状の部材である。山留板６３には、木材などが用いられる。作業者は、第１４工程５４において、凹部１７の周壁に沿って山留板６３を設置する。
【０１２５】
第１５工程５５は、凹部１７の底に保持部材６４を設置し、また、架台を設置する工程である。図２１に示されるように、保持部材６４は、後述の一対の第４型枠７４の一方を保持する部材である。保持部材６４には、例えば、金属金具が用いられる。作業者は、第１５工程５５において、凹部１７の底であって、立上がり部１０２が打設される場所に保持部材６４を設置する。また、作業者は、保持部材６４の周囲に、一対の第４型枠７４の一方を固定する架台を設置する。具体的には、作業者は、底板部１０１の外側となる場所に架台を設置する。すなわち、架台は、底板部１０１の打設を阻害しない。なお、保持部材６４のみによって一方の第４型枠７４を固定でき、かつ足場が不要であれば、架台の設置は省略される。
【０１２６】
第１６工程５６は、一対の第４型枠７４のうちの一方の第４型枠７４を保持部材６４に保持させて設置する工程である。
【０１２７】
一対の第４型枠７４の一方の第４型枠７４は、板状の複数の第６部材６６を有する。複数の第６部材６６は、水平方向を厚み方向とし、水平方向における端部同士を突き合わせて互いに隣接して配置され、保持部材６４によって支持される。また、第６部材６６は、架台を用いて固定される。また、隣接して配置された第６部材６６同士は、締結部材を用いて相互に固定される。相互に固定された複数の第６部材６６により、一方の第４型枠７４が構成される。
【０１２８】
第１６工程５６において、作業者は、第６部材６６を保持部材６４の上に載置し、隣合う第６部材６６同士を締結部材を用いて相互に固定する。また、作業者は、第６部材６６を架台に固定する。作業者は、これらの作業により、一方の第４型枠７４を設置する。
【０１２９】
第１７工程５７は、セパレータ７７を設置する工程である。セパレータ７７は、上述の第１実施形態で説明されたセパレータ７７と同一の構成を有する。
【０１３０】
第１７工程５７において、作業者は、セパレータ７７の一方の端部を第４型枠７４の上端に載置し、ピンなどの締結部材を用いて固定する。
【０１３１】
第１８工程５８は、他方の第４型枠７４を設置する工程である。他方の第４型枠７４は、板状の複数の第７部材６７を有する。第７部材６７は、水平方向を厚み方向とし、水平方向における端部同士を突き合わせて互いに隣接して配置され、セパレータ７７によって支持される。具体的には、第７部材６７は、長手方向の一方の端部を一方の第４型枠７４に支持されたセパレータ７７の他方の端部に上端を取り付けられ、ピンなどの締結部材によって固定される。第７部材６７は、上端においてセパレータ７７に取り付けられるから、第７部材６７の上端の高さ位置と第６部材６６の上端の高さ位置とは一致する。したがって、一対の第４型枠７４によって打設される立上がり部１０２の上面１０２Ａは、水平面に沿う。セパレータ７７は、第７部材６７を保持するとともに、第６部材６６と第７部材６７との間の距離を一定に保つ。
【０１３２】
上下方向１３における第７部材６７の長さ（高さ）は、底板部１０１の厚みに応じて決められる。すなわち、上下方向１３における第７部材６７の長さを短くすることにより、底板部１０１の厚みが小さくなり、長くすることにより、底板部１０１の厚みが大きくなる。図示例では、上下方向１３における第７部材６７の長さは、上下方向１３における第６部材６６の長さよりも若干短くされている。
【０１３３】
作業者は、第１８工程５８において、各第７部材６７を各セパレータ７７に取り付け、さらに、隣接する第７部材６７同士を締結部材を用いて相互に固定し、他方の第４型枠７４を組み上げる。
【０１３４】
第１９工程５９は、地面及び一対の第４型枠７４にコンクリートを流し込み、底板部１０１及び立上がり部１０２を一体に打設する工程である。作業者は、まず、地面にコンクリートを流し込み、底板部１０１を打設する。底板部１０１の上面となる部分は、小手押えによって整形される。作業者は、コンクリートが固化する前に、一対の第４型枠７４にコンクリートを流し込み、立上がり部１０２を打設する。作業者は、立上がり部１０２の上面１０２Ａとなる部分を、小手押えにより整形する。
【０１３５】
第２０工程６０は、架台及び第４型枠７４を撤去する工程である。作業者は、べた基礎１００を打設した後、架台及び一対の第４型枠７４をべた基礎１００から取り外す。なお、架台の一部或いは全部は、埋め殺しとされてもよい。取り外された一対の第４型枠７４は、他の施工現場において再利用される。
【０１３６】
[第２実施形態の効果]
第２実施形態では、一対の第４型枠７４のうちの一方の第４型枠７４は、保持部材６４及び架台によって保持される。他方の第４型枠７４は、セパレータ７７によって保持される。したがって、他方の第４型枠７４を保持するための架台の設置が不要となる。なお、底板部１０１と立上がり部１０２とを一体に打設する場合、他方の第４型枠７４は底板部１０１となる領域の上方に設置されるため、底板部１０１の打設を阻害しないように架台を設置することは困難である。第２実施形態では、他方の第４型枠７４を保持する架台の設置が不要となるから、施工が容易になり、また、施工コストを抑えることができる。
【０１３７】
[変形例４]
上述の第２実施形態では、立上がり部１０２が上下１段の第４型枠７４によって打設される例が説明された。本変形例では、図２２に示されるように、立上がり部１０２が上下２の型枠によって打設される例が説明される。
【０１３８】
本変形例４では、一対の第４型枠７４の上に一対の第５型枠７５が設置される。一対の第５型枠７５は、複数の第８部材６８によって組み上げられる。第８部材６８は、例えば、部品の共通化のため、第６部材６６と同構成とされる。
【０１３９】
作業者は、第１方向１１に沿って複数の第８部材６８を第６部材６６の上に隣接させて設置し、締結部材を用いて相互に固定する。また、作業者は、架台を用いて第８部材６８を固定し、一方の第５型枠７５を組み上げる。
【０１４０】
次に、作業者は、第１方向１１に沿って複数の第８部材６８を第７部材６７の上に隣接させて設置し、締結部材を用いて相互に固定し、他方の第５型枠７５を組み上げる。なお、一対の第５型枠７５の上端間にセパレータ７７が架設されてもよい。
【０１４１】
その後、作業者は、上述の第２実施形態と同様に地面、第４型枠７４、及び第５型枠７５にコンクリートを流し込み、べた基礎１００を打設する。
【０１４２】
[変形例４の効果]
本変形例では、立上がり部１０２を打設するための型枠を上下２段にして、立上がり部１０２の高さを高くすることができる。
【０１４３】
本変形例４では、上下２段の型枠（第４型枠７４及び第５型枠７５）を用いる例が説明されたが、上下３段以上の型枠が用いられてもよい。
【０１４４】
[その他の変形例]
上述の第２実施形態では、セパレータ７７（図２１）を用いて一対の第４型枠７４のうちの他方の第４型枠７４が保持される例が説明された。しかしながら、変形例２で説明されたセパレータ７８を用いて他方の第４型枠７４が保持されてもよい。長手方向におけるセパレータ７８の一方の端部は、隣接して配置される第６部材６６の繋ぎ目（縦目地）に配置され、他方の端部は、隣接して配置される第７部材６７の繋ぎ目（縦目地）に配置される。
【符号の説明】
【０１４５】
１０・・・布基礎
２０・・・基礎部
３０・・・基礎部
３１・・・ベース部
３１Ａ・・・上面
３２・・・中間部
３２Ａ・・・上面
３２Ｂ・・・第１側面
３２Ｃ・・・第２側面
３３・・・第１立上がり部
３３Ａ・・・第１上面
３３Ｂ・・・側面
３４・・・第２立上がり部
３４Ａ・・・第２上面
３４Ｂ・・・側面
４０、９０、９１・・・布基礎施工方法
４１・・・第１工程
４４・・・第４工程
４５・・・第５工程
４６・・・第６工程
４７・・・第７工程
４８・・・第８工程
４９・・・第９工程
５１・・・第１１工程
５２・・・第１２工程
５３・・・第１３工程
５５・・・第１５工程
５６・・・第１６工程
５７・・・第１７工程
５８・・・第１８工程
５９・・・第１９工程
６０・・・第２０工程
６４・・・保持部材
７１・・・第１型枠
７２・・・第２型枠
７３・・・第３型枠
７４・・・第４型枠
７６・・・浮き型枠
８４・・・第４部材
８５・・・第５部材
８６・・・コーナー部材
８７・・・接続部材
９２・・・べた基礎施工方法
１００・・・べた基礎
１０１・・・底板部
１０２・・・立上がり部
１０２Ａ・・・上面
【図１】
2019015048.tif 000003
【図２】
2019015048.tif 000004
【図３】
2019015048.tif 000005
【図４】
2019015048.tif 000006
【図５】
2019015048.tif 000007
【図６】
2019015048.tif 000008
【図７】
2019015048.tif 000009
【図８】
2019015048.tif 000010
【図９】
2019015048.tif 000011
【図１０】
2019015048.tif 000012
【図１１】
2019015048.tif 000013
【図１２】
2019015048.tif 000014
【図１３】
2019015048.tif 000015
【図１４】
2019015048.tif 000016
【図１５】
2019015048.tif 000017
【図１６】
2019015048.tif 000018
【図１７】
2019015048.tif 000019
【図１８】
2019015048.tif 000020
【図１９】
2019015048.tif 000021
【図２０】
2019015048.tif 000022
【図２１】
2019015048.tif 000023
【図２２】
2019015048.tif 000024